(57)【要約】【課題】静止燃焼状態と躍動燃焼状態との２つの燃焼状態を形成することができ、火炎による演出効果を一層際立たせることができる演出用バーナを提供すること。【解決手段】演出用バーナ１は、空気Ａを通過させるための空気ドラフト管２と、空気ドラフト管２の内側に配設した第１燃料ノズル３と、空気ドラフト管２の外側に配設した第２燃料ノズル４とを有している。演出用バーナ１は、静止燃焼状態においては、第１燃料ノズル３から噴出させた第１燃料ガスＦ１を燃焼させ、空気ドラフト管２における上端開口部２０２から、静止状態の第１演出用火炎を形成し、躍動燃焼状態においては、第１燃料ノズル３から噴出させた第１燃料ガスＦ１を燃焼させると共に、第２燃料ノズル４から噴出させた第２燃料ガスＦ２を燃焼させ、空気ドラフト管２における上端開口部２０２から、躍動状態の第２演出用火炎を形成する。【選択図】図１
2006242456.tif 000002
【特許請求の範囲】
【請求項１】
下端開口部から上端開口部へと空気を通過させるための空気ドラフト管と、
該空気ドラフト管の内側に配設され、第１燃料ガスを噴出させるための第１燃料ノズルと、
上記空気ドラフト管の外側に配設され、第２燃料ガスを噴出させるための第２燃料ノズルとを有しており、
上記第１燃料ノズルから噴出させた上記第１燃料ガスを燃焼させ、上記空気ドラフト管における上記上端開口部から、静止状態の第１演出用火炎を形成する静止燃焼状態と、
上記第１燃料ノズルから噴出させた上記第１燃料ガスを燃焼させると共に、上記第２燃料ノズルから噴出させた上記第２燃料ガスを燃焼させ、上記空気ドラフト管における上記上端開口部から、躍動状態の第２演出用火炎を形成する躍動燃焼状態とを形成するよう構成してなることを特徴とする演出用バーナ。
【請求項２】
請求項１において、上記空気ドラフト管は、上記第１燃料ノズルとの間に形成した環状の第１空気通路と、該第１空気通路の上方に形成した第２空気通路とを備えており、
上記第２燃料ノズルは、上記第２空気通路の外側に配設してあることを特徴とする演出用バーナ。
【請求項３】
請求項２において、上記第２空気通路は、上方に向けて通路断面積が縮小するテーパ形状を有していることを特徴とする演出用バーナ。
【請求項４】
請求項１〜３のいずれか一項において、上記第２燃料ノズルは、斜め外方に向けて開口する第２燃料噴出孔を有していることを特徴とする演出用バーナ。
【請求項５】
請求項１〜４のいずれか一項において、上記第２燃料ノズルは、上記第１燃料ノズルから噴出させる上記第１燃料ガスよりも多い噴出量で上記第２燃料ガスを噴出させるよう構成してあることを特徴とする演出用バーナ。
【請求項６】
請求項１〜５のいずれか一項において、上記第１燃料ノズルは、その外周にノズル側加熱用ヒータを備えていることを特徴とする演出用バーナ。
【請求項７】
請求項１〜６のいずれか一項において、上記空気ドラフト管は、その外周にドラフト管側加熱用ヒータを備えていることを特徴とする演出用バーナ。
【発明の詳細な説明】
【技術分野】
【０００１】
本発明は、燃料ガスを燃焼させて、演出用火炎を形成するよう構成した演出用バーナに関する。
【背景技術】
【０００２】
コンサートホールやテーマパーク等では、演出用火炎を形成するための各種演出用バーナが使用されている。例えば、特許文献１においては、装飾用ガスバーナにおいて、酸素濃度が１％以下のガス燃料を熱分解させて浮遊炭素粒子と水素を発生させる。そして、この浮遊炭素粒子と水素を当該装飾用ガスバーナから噴出させ、その周囲の空気と燃焼させることにより、ローソクのように輝度が高く、かつ装飾性の高い炎を形成している。また、ガス燃料の加熱温度を変更することにより、炎の輝度を調整している。
【０００３】
しかしながら、特許文献１の装飾用ガスバーナは、ローソクのような炎を形成することのみを目的としている。そのため、火炎による演出効果を一層際立たせるためには更なる工夫が必要とされる。
【０００４】
【特許文献１】特許第２７０８４２１号公報
【発明の開示】
【発明が解決しようとする課題】
【０００５】
本発明は、かかる従来の問題点に鑑みてなされたもので、静止燃焼状態と躍動燃焼状態との２つの燃焼状態を形成することができ、火炎による演出効果を一層際立たせることができる演出用バーナを提供しようとするものである。
【課題を解決するための手段】
【０００６】
本発明は、下端開口部から上端開口部へと空気を通過させるための空気ドラフト管と、
該空気ドラフト管の内側に配設され、第１燃料ガスを噴出させるための第１燃料ノズルと、
上記空気ドラフト管の外側に配設され、第２燃料ガスを噴出させるための第２燃料ノズルとを有しており、
上記第１燃料ノズルから噴出させた上記第１燃料ガスを燃焼させ、上記空気ドラフト管における上記上端開口部から、静止状態の第１演出用火炎を形成する静止燃焼状態と、
上記第１燃料ノズルから噴出させた上記第１燃料ガスを燃焼させると共に、上記第２燃料ノズルから噴出させた上記第２燃料ガスを燃焼させ、上記空気ドラフト管における上記上端開口部から、躍動状態の第２演出用火炎を形成する躍動燃焼状態とを形成するよう構成してなることを特徴とする演出用バーナにある（請求項１）。
【０００７】
本発明の演出用バーナは、２つの燃焼状態を形成することにより、演出用火炎による演出効果を一層際立たせる工夫を行っている。
すなわち、本発明の演出用バーナは、上記空気ドラフト管、第１燃料ノズル及び第２燃料ノズルを有している。
そして、演出用バーナによる静止燃焼状態を形成する際には、第１燃料ノズルから第１燃料ガスを噴出させる。このとき、第１燃料ガスの上昇流に伴い、空気ドラフト管内の空気が上昇し、空気ドラフト管内には、その下端開口部から空気が流入する。
【０００８】
そして、空気ドラフト管における上端開口部から第１燃料ガス及び空気が流出して燃焼する。このとき、空気ドラフト管における上端開口部から流出する第１燃料ガスは、上端開口部から流出する空気によって囲まれた状態で燃焼する。
こうして、第１燃料ガスの燃焼による火炎は、空気ドラフト管における上端開口部から、ほとんど静止した状態の第１演出用火炎を形成することができる。
【０００９】
一方、演出用バーナによる躍動燃焼状態を形成する際には、第１燃料ノズルから第１燃料ガスを噴出させると共に、第２燃料ノズルから第２燃料ガスを噴出させる。このとき、第１燃料ガスの上昇流に伴い、空気ドラフト管内の空気が上昇し、空気ドラフト管内には、その下端開口部から空気が流入する。
そして、空気ドラフト管における上端開口部から第１燃料ガス及び空気が流出して燃焼すると共に、第２燃料ノズルから噴出された第２燃料ガスが燃焼する。
【００１０】
このとき、第１燃料ガスの燃焼による火炎の周囲に、第２燃料ガスの燃焼による火炎が形成される。また、第２燃料ガスの燃焼による火炎は、上端開口部から流出する空気によって、第１燃料ガスによる火炎と一体化してしまうことが抑制され、上方に向けて移動するように形成される。また、第１燃料ガスの燃焼及び第２燃料ガスの燃焼による火炎全体は、断面外形の小さな部分と断面外形の大きな部分とによって形成され、断面外形の大きな部分が繰り返し上方に向けて移動するようにして形成される。
こうして、第１燃料ガスの燃焼及び第２燃料ガスの燃焼による火炎全体は、空気ドラフト管における上端開口部から、躍動する状態の第２演出用火炎を形成することができる。
【００１１】
それ故、本発明の演出用バーナによれば、静止燃焼状態と躍動燃焼状態との２つの燃焼状態を形成することができ、火炎による演出効果を一層際立たせることができる。
【発明を実施するための最良の形態】
【００１２】
上述した本発明における好ましい実施の形態につき説明する。
本発明において、上記バーナを使用する周囲の環境下は、できるだけ無風状態に近いことが好ましい。この場合には、上記静止状態の第１演出用火炎の形成が容易になる。
また、上記静止状態の第１演出用火炎は、上記バーナの周囲の環境下の影響を受けて若干揺れることもある。この場合でも、上記バーナの構成により、第１演出用火炎の揺れを抑制することができ、ほとんど静止した状態の第１演出用火炎を形成することができる。
【００１３】
また、上記空気ドラフト管は、上記第１燃料ノズルとの間に形成した環状の第１空気通路と、該第１空気通路の上方に形成した第２空気通路とを備えており、上記第２燃料ノズルは、上記第２空気通路の外側に配設することが好ましい（請求項２）。
【００１４】
この場合には、第１燃料ノズルから第１燃料ガスを噴出させるときには、第１空気通路内における空気を、第１燃料ガスの上昇流に伴って第２空気通路内へ導き、第２空気通路の上端に位置する上端開口部から第１燃料ガスを囲む状態で流出させることができる。これにより、静止状態の第１演出用火炎を容易に形成することができる。
また、第１燃料ノズルから第１燃料ガスを噴出させると共に第２燃料ノズルから第２燃料ガスを噴出させるときには、第１燃料ガスの燃焼による火炎と第２燃料ガスの燃焼による火炎とを一層適切に形成することができ、躍動状態の第２演出用火炎を容易に形成することができる。
【００１５】
また、上記第２空気通路は、上方に向けて通路断面積が縮小するテーパ形状を有していることが好ましい（請求項３）。
この場合には、第２空気通路内を通過する空気の流れを、第１燃料ガスの流れの中心側に向けて絞ることができ、静止状態の第１演出用火炎を適切な長さ及び形状で形成することができる。
【００１６】
また、上記第２燃料ノズルは、斜め外方に向けて開口する第２燃料噴出孔を有していることが好ましい（請求項４）。
この場合には、上記第２演出用火炎を形成する際に、第２燃料ノズルにおける第２燃料噴出孔から斜め外方に向けて第２燃料ガスを噴出させることができる。これにより、第２燃料ガスが、空気ドラフト管における開口上端部から流出する第１燃料ガスと一体化されてしまうことを一層適切に抑制して、第２燃料ガスの燃焼による火炎の膨らみを適切に大きく形成することができる。そのため、上記躍動状態の第２演出用火炎による演出効果を一層際立たせることができる。
【００１７】
また、上記第２燃料ノズルは、上記第１燃料ノズルから噴出させる上記第１燃料ガスよりも多い噴出量で上記第２燃料ガスを噴出させるよう構成することが好ましい（請求項５）。この場合には、第２燃料ガスの燃焼による火炎の膨らみを一層適切に大きく形成することができ、上記躍動状態の第２演出用火炎による演出効果を一層際立たせることができる。
【００１８】
また、第１燃料ガスよりも多い噴出量で第２燃料ガスを噴出させる構造としては、例えば、第２燃料ノズルにおける第２燃料噴出孔の合計の開口面積を、第１燃料ノズルにおける第１燃料噴出孔の合計の開口面積よりも大きくすることによって実現することができる。
また、第１燃料ガスよりも多い噴出量で第２燃料ガスを噴出させるために、第２燃料ノズルに供給する第２燃料ガスの圧力を、第１燃料ノズルに供給する第１燃料ガスの圧力よりも大きくすることもできる。
【００１９】
また、上記第１燃料ノズルは、その外周にノズル側加熱用ヒータを備えていることが好ましい（請求項６）。
この場合には、ノズル側加熱用ヒータにより、第１燃料ノズルから噴出させる第１燃料ガスを加熱することができる。そのため、特に、第１演出用火炎を形成する際には、第１演出用火炎を静止させることが容易になる。また、ノズル側加熱用ヒータによって燃焼運転開始前の演出用バーナを加熱しておくことにより、燃焼運転開始後に第１演出用火炎を形成する際に、第１演出用火炎を迅速に静止させることができる。
【００２０】
また、上記空気ドラフト管は、その外周にドラフト管側加熱用ヒータを備えていることが好ましい（請求項７）。
この場合には、ドラフト管側加熱用ヒータにより、空気ドラフト管内を通過する空気を加熱することができる。そのため、特に、第１演出用火炎を形成する際には、第１燃料ガスの噴出に伴い空気ドラフト管内における空気を適切に上昇させることができ、第１演出用火炎を静止させることが容易になる。また、ドラフト管側加熱用ヒータによって燃焼運転開始前の演出用バーナを加熱しておくことにより、燃焼運転開始後に第１演出用火炎を形成する際に、第１演出用火炎を迅速に静止させることができる。
【実施例】
【００２１】
以下に、本発明の演出用バーナ１にかかる実施例につき、図面と共に説明する。
本例の演出用バーナ１は、図１〜図８に示すごとく、コンサートホール又はテーマパーク等において、２種類の演出用火炎Ｈ１、Ｈ２を形成することにより、火炎が持つ視覚的効果を利用して演出を行うものである。
この演出用バーナ１は、図１に示すごとく、下端開口部２０１から上端開口部２０２へと空気Ａを通過させるための空気ドラフト管２と、空気ドラフト管２の内側に配設され第１燃料ガスＦ１を噴出させるための第１燃料ノズル３と、空気ドラフト管２の外側に配設され第２燃料ガスＦ２を噴出させるための第２燃料ノズル４とを有している。
【００２２】
そして、演出用バーナ１は、以下の静止燃焼状態１０１と躍動燃焼状態１０２との２つの燃焼状態を形成するよう構成されている。
すなわち、演出用バーナ１は、図６に示すごとく、静止燃焼状態１０１においては、第１燃料ノズル３から噴出させた第１燃料ガスＦ１を燃焼させ、空気ドラフト管２における上端開口部２０２から、静止状態の第１演出用火炎Ｈ１を形成するよう構成されている。また、演出用バーナ１は、図７に示すごとく、躍動燃焼状態１０２においては、第１燃料ノズル３から噴出させた第１燃料ガスＦ１を燃焼させると共に、第２燃料ノズル４から噴出させた第２燃料ガスＦ２を燃焼させ、空気ドラフト管２における上端開口部２０２から、躍動状態の第２演出用火炎Ｈ２を形成するよう構成されている。
【００２３】
以下に、本例の演出用バーナ１につき詳説する。
図１に示すごとく、上記第１燃料ノズル３は、第１燃料ガスＦ１を通過させる第１燃料供給管３３の上方先端部に配設されている。この第１燃料供給管３３は、その軸方向を鉛直方向に向けて設置されている。また、上記空気ドラフト管２は、筒形状（本例では円筒形状）を有しており、その軸方向を鉛直方向に向けて配設されている。
また、図１、図３に示すごとく、空気ドラフト管２における下端開口部２０１は、第１燃料供給管３３に固定されている。すなわち、空気ドラフト管２は、その内周面に配設した複数の連結バー２３によって、第１燃料供給管３３の外周に固定されている。そして、空気Ａを通過させるための下端開口部２０１は、複数の連結バー２３同士の間に形成されている。
【００２４】
また、図１に示すごとく、空気ドラフト管２は、第１燃料ノズル３との間に形成した環状の第１空気通路２１と、第１空気通路２１の上方に形成した第２空気通路２２とを備えている。第１空気通路２１は、通路断面積が均一なストレート形状を有しており、第２空気通路２２は、この第２空気通路２２内を通過する空気Ａの流れを、第１燃料ガスＦ１の流れの中心側に向けて絞るために、上方に向けて通路断面積が縮小するテーパ形状を有している。このテーパ形状により、第１演出用火炎Ｈ１を、上方に向けて外径が縮小する三角錐状に形成することができる（図６参照）。
なお、本例の第１空気通路２１は、ほとんどの部分がストレート形状を有しているが、上端部に位置する一部が上方に向けて通路断面積が縮小するテーパ形状を有している。
【００２５】
また、第２空気通路２２のテーパ角度を変更することにより、三角錐状の第１演出用火炎Ｈ１の長さを変更することができる。
また、空気ドラフト管２における上端開口部２０２は、第２燃料ノズル４の上端面４１よりも上方に突出した位置に配置されている。
【００２６】
なお、図８に示すごとく、上記空気ドラフト管２における第２空気通路２２は、通路断面積が均一なストレート形状に形成することもできる。この場合には、第１燃料ガスＦ１を燃焼させて形成する第１演出用火炎Ｈ１を、円柱状に形成することができる。また、同図に破線で示すように、第２空気通路２２は、ほとんどの部分をストレート形状にし、上端部に位置する一部をテーパ形状にすることもできる。
【００２７】
また、図１、図２に示すごとく、第１燃料ノズル３は、第１燃料ガスＦ１を噴出させるための第１燃料噴出孔３２を有している。この第１燃料噴出孔３２は、第１燃料ノズル３の上端面３１に複数形成されている。
また、第２燃料ノズル４は、第２燃料ガスＦ２を噴出させるための第２燃料噴出孔４２を有している。この第２燃料噴出孔４２は、第２燃料ノズル４の上端面４１に複数形成されている。
【００２８】
また、第２燃料ノズル４は、空気ドラフト管２における第２空気通路２２の外周を囲む環形状（本例では円環形状）を有している。本例の第２燃料噴出孔４２は、演出用バーナ１の中心軸線を中心とする仮想円上に配列して形成されている。また、本例の第２燃料噴出孔４２は、直径が異なる２つの仮想円上に配列して形成されている。
【００２９】
また、図１、図２に示すごとく、複数の第２燃料噴出孔４２は、第２燃料ガスＦ２を斜め外方に向けて噴出させるために、斜め外方に向けて開口形成されている。また、第２燃料ガスＦ２は、演出用バーナ１の中心軸線に対して、斜め外方に向けて放射状に噴出される。
また、第２燃料ノズル４には、この第２燃料ノズル４に第２燃料ガスＦ２を供給するための第２燃料供給管４３が接続されている。
【００３０】
また、図２に示すごとく、第２燃料ノズル４における複数の第２燃料噴出孔４２の合計の開口面積は、第１燃料ノズル３における複数の第１燃料噴出孔３２の合計の開口面積よりも大きくしてある。これにより、第１燃料ノズル３に供給する第１燃料ガスＦ１の圧力と、第２燃料ノズル４に供給する第２燃料ガスＦ２の圧力とをほぼ同じとした場合でも、第２燃料ノズル４から噴出させる第２燃料ガスＦ２の噴出量を、第１燃料ノズル３から噴出させる第１燃料ガスＦ１の噴出量よりも多くすることができる。
【００３１】
また、第２燃料ノズル４から噴出させる第２燃料ガスＦ２の噴出量は、第１燃料ノズル３から噴出させる第１燃料ガスＦ１の噴出量の２〜１０倍とすることができる。本例においては、第１燃料ガスＦ１の噴出量は、約０．０４ｍ3／ｈとし、第２燃料ガスＦ２の噴出量は、約０．２７ｍ3／ｈとしている。
【００３２】
また、図１に示すごとく、第１燃料ノズル３は、その外周にノズル側加熱用ヒータ５１を備えている。このノズル側加熱用ヒータ５１は、第１燃料ノズル３の外周を覆う環形状を有している。
また、空気ドラフト管２は、その外周にドラフト管側加熱用ヒータ５２を備えている。このドラフト管側加熱用ヒータ５２は、空気ドラフト管２における第１空気通路２１の外周を覆う環形状を有している。また、ノズル側加熱用ヒータ５１及びドラフト管側加熱用ヒータ５２は、いずれも通電により発熱するタイプのものである。また、各加熱用ヒータ５１、５２による加熱温度は、１５０〜１８０℃とすることができる。
【００３３】
図４、図５に示すごとく、上記空気ドラフト管２における上端開口部２０２の周辺には、第１燃料ノズル３から噴出された第１燃料ガスＦ１、又は第２燃料ノズル４から噴出された第２燃料ガスＦ２の着火を行うための着火装置６１が配設してある。本例では、第２燃料ノズル４から噴出させた第２燃料ガスＦ２の着火を行うために、着火装置６１は、第２燃料ノズル４の上方に配設してある。また、本例の着火装置６１は、通電により発熱を行うセラミックヒータであり、第２燃料ガスＦ２を自然着火させるよう構成してある。
【００３４】
また、着火装置６１は、着火不良が生じたときに演出用バーナ１から不完全燃焼ガスが流出することを防止するために、２つ配設してある。
また、本例の第１燃料ガスＦ１及び第２燃料ガスＦ２は、いずれも同じ天然ガス（都市ガス１３Ａ）である。
なお、着火装置６１は、第１燃料ノズル３から噴出させた第１燃料ガスＦ１の着火を行うために、第１燃料ノズル３の上方に配設することもできる。
【００３５】
また、図４、図５に示すごとく、演出用バーナ１は、空気ドラフト管２及び第２燃料ノズル４を覆うカバー７を有している。このカバー７は、空気ドラフト管２の下部を覆う下部カバー部７１と、空気ドラフト管２の上部及び第２燃料ノズル４の外周を覆う上部カバー部７２とを有している。下部カバー部７１及び上部カバー部７２は、それぞれ下側の開口部から上側の開口部に向けて空気Ａを通過させる筒形状を有している。なお、下部カバー部７１及び上部カバー部７２は、パンチングメタル等の多数の孔を有する部材により構成することができる。
また、上部カバー部７２には、火炎の形成状態を監視するための紫外線センサー６２が配設されている。
【００３６】
本例の演出用バーナ１は、安全燃焼制御装置（図示略）によって燃焼制御が行われるよう構成されている。安全燃焼制御装置は、第１燃料ガスＦ１及び第２燃料ガスＦ２の噴出タイミング、噴出時間等の制御、及び着火装置６１の通電タイミング及び通電時間の制御等を行うよう構成されている。
【００３７】
図４に示すごとく、上記第１燃料供給管３３には、この第１燃料供給管３３の開閉を行うための第１制御弁３３１が配設されている。また、上記第２燃料供給管４３には、この第２燃料供給管４３の開閉を行うための第２制御弁４３１が配設されている。そして、安全燃焼制御装置が、第１制御弁３３１を開けたときには、第１燃料ノズル３から第１燃料ガスＦ１が噴出されて、静止状態の第１演出用火炎Ｈ１を形成することができる（図６参照）。
【００３８】
一方、安全燃焼制御装置が、第１制御弁３３１及び第２制御弁４３１を開けたときには、第１燃料ノズル３から第１燃料ガスＦ１が噴出されると共に、第２燃料ノズル４から第２燃料ガスＦ２が噴出されて、躍動状態の第２演出用火炎Ｈ２を形成することができる（図７参照）。
また、本例の演出用バーナ１における燃焼状態の制御は、安全燃焼制御装置におけるプログラム又はシーケンス回路等によって行われる。
なお、各制御弁３３１、４３１を、流量調整可能なものとしたときには、各燃料ノズル３、４から噴出させる各燃料ガスＦ１、Ｆ２の噴出量を適切に調整することができる。
【００３９】
また、図６、図７に示すごとく、上記構成の演出用バーナ１によれば、第２演出用火炎Ｈ２の最大断面外形は、第１演出用火炎Ｈ１の最大断面外形の５〜１０倍に形成することができ、第２演出用火炎Ｈ２の最大長さは、第１演出用火炎Ｈ１の長さの１．５〜２．５倍に形成することができる。本例においては、最大断面外形が約１７ｍｍであり、長さが約２００ｍｍである第１演出用火炎Ｈ１を形成し、最大断面外形が約１３０ｍｍであり、最大長さが約４００ｍｍである第２演出用火炎Ｈ２を形成する。
【００４０】
次に、上記演出用バーナ１を用いて、２種類の演出用火炎Ｈ１、Ｈ２を形成する動作につき説明する。
本例においては、第２燃料ノズル４から噴出させる第２燃料ガスＦ２を着火させるため、上記躍動燃焼状態１０２を先に形成し、次いで上記静止燃焼状態１０１を形成する。
また、演出用バーナ１の燃焼運転の開始後に、第１演出用火炎Ｈ１を迅速に静止させるために、燃焼運転の開始前には、上記ノズル側加熱用ヒータ５１及びドラフト管側加熱用ヒータ５２に通電を行って、演出用バーナ１を加熱しておく。
【００４１】
そして、上記躍動燃焼状態１０２を形成する際には、安全燃焼制御装置は、上記第２制御弁４３１を開け、第２燃料ノズル４における複数の第２燃料噴出孔４２から第２燃料ガスＦ２を斜め上方に向けて噴出させる。そして、噴出された第２燃料ガスＦ２を、上記着火装置６１によって着火させる。
【００４２】
また、この着火を行う際には、安全燃焼制御装置は、上記第１制御弁３３１を開け、第１燃料ノズル３における複数の第１燃料噴出孔３２から第１燃料ガスＦ１を上方に向けて噴出させる。このとき、いわゆるドラフト効果により、第１燃料ガスＦ１が上昇する流れに伴い、空気ドラフト管２内の空気Ａが上昇する。
すなわち、空気ドラフト管２における第１空気通路２１内における空気Ａは、第１燃料ガスＦ１の上昇流に伴って第２空気通路２２内へ上昇し、第１空気通路２１内には、下端開口部２０１から空気Ａが流入する。そして、第２空気通路２２における空気Ａは、第１燃料ガスＦ１の上昇速度とほぼ同じ速度で上昇する。
【００４３】
次いで、空気ドラフト管２における上端開口部２０２から流出する第１燃料ガスＦ１は、第２燃料ガスＦ２の燃焼による火炎によって着火されて燃焼する。
このとき、第１燃料ガスＦ１の燃焼による火炎の周囲に、第２燃料ガスＦ２の燃焼による火炎が形成される。また、第２燃料ガスＦ２の燃焼による火炎は、上端開口部２０２から第１燃料ガスＦ１の上昇速度（流出速度）とほぼ同じ速度で上昇する空気Ａによって、第１燃料ガスＦ１による火炎と一体化してしまうことが抑制される。そして、第２燃料ガスＦ２の燃焼による火炎は、上方に向けて移動するように形成される。
【００４４】
また、第１燃料ガスＦ１の燃焼及び第２燃料ガスＦ２の燃焼による火炎全体は、断面外形の小さな部分と断面外形の大きな部分とによって形成され、断面外形の大きな部分が繰り返し上方に向けて移動するようにして形成される。
こうして、図７に示すごとく、第１燃料ガスＦ１の燃焼及び第２燃料ガスＦ２の燃焼による火炎全体は、空気ドラフト管２における上端開口部２０２から、躍動する状態の第２演出用火炎Ｈ２を形成することができる。なお、同図において、第２演出用火炎Ｈ２が躍動する状態を実線と破線によって示す。
そして、この第２演出用火炎Ｈ２は、これを見る者に対して生き生きとした躍動感のような印象を与えることができる。
【００４５】
次いで、上記静止燃焼状態１０１を形成する際には、安全燃焼制御装置は、上記第１制御弁３３１を開けた状態を維持して第１燃料ノズル３から第１燃料ガスＦ１を噴出させる一方、上記第２制御弁４３１を閉じて第２燃料ノズル４からの第２燃料ガスＦ２の噴出を停止させる。
このとき、いわゆるドラフト効果により、第１燃料ガスＦ１が上昇する流れに伴い、空気ドラフト管２内の空気Ａが上昇し、空気ドラフト管２における上端開口部２０２から、第１燃料ガスＦ１の上昇速度（流出速度）とほぼ同じ速度で空気Ａが上昇（流出）する。
【００４６】
そして、上端開口部２０２から流出する第１燃料ガスＦ１は、上端開口部２０２から流出する空気Ａによって囲まれた状態で燃焼する。
こうして、図６に示すごとく、第１燃料ガスＦ１の燃焼による火炎は、空気ドラフト管２における上端開口部２０２から、ほとんど静止した状態の第１演出用火炎Ｈ１を形成することができる。
そして、この第１演出用火炎Ｈ１は、これを見る者に対して安らかな静寂感のような印象を与えることができる。
【００４７】
そして、その後は、安全燃焼制御装置は、適宜タイミングで各燃料ガスＦ１、Ｆ２を燃焼させ、躍動燃焼状態１０２と静止燃焼状態１０１とを繰り返し形成することができる。
また、第１燃料ノズル３から噴出させる第１燃料ガスＦ１を着火させるよう構成した場合には、上記静止燃焼状態１０１を先に形成し、次いで、上記躍動燃焼状態１０２を形成することができる。
このように、上記演出用バーナ１は、静止燃焼状態１０１を形成することにより、静寂感を表現することができ、躍動燃焼状態１０２を形成することにより、躍動感を表現することができる。それ故、演出用バーナ１によれば、火炎による演出効果を一層際立たせることができる。
【図面の簡単な説明】
【００４８】
【図１】実施例における、演出用バーナを示す断面説明図。
【図２】実施例における、図１におけるＸ矢視方向から見た状態で演出用バーナを示す平面図。
【図３】実施例における、図１におけるＹ−Ｙ矢視線方向から見た状態で演出用バーナを示す断面説明図。
【図４】実施例における、演出用バーナにカバー等を取り付けた状態を示す断面説明図。
【図５】実施例における、演出用バーナにカバー等を取り付けた状態を示す平面図。
【図６】実施例における、静止燃焼状態（第１演出用火炎）を形成した状態の演出用バーナを示す断面説明図。
【図７】実施例における、躍動燃焼状態（第２演出用火炎）を形成した状態の演出用バーナを示す断面説明図。
【図８】実施例における、他の演出用バーナを示す断面説明図。
【符号の説明】
【００４９】
１  演出用バーナ
１０１  静止燃焼状態
１０２  躍動燃焼状態
２  空気ドラフト管
２０１  下端開口部
２０２  上端開口部
２１  第１空気通路
２２  第２空気通路
３  第１燃料ノズル
３２  第１燃料噴出孔
４  第２燃料ノズル
４２  第２燃料噴出孔
５１  ノズル側加熱用ヒータ
５２  ドラフト管側加熱用ヒータ
６１  着火装置
Ｆ１  第１燃料ガス
Ｆ２  第２燃料ガス
Ａ  空気
Ｈ１  第１演出用火炎
Ｈ２  第２演出用火炎
【図１】
2006242456.tif 000003
【図２】
2006242456.tif 000004
【図３】
2006242456.tif 000005
【図４】
2006242456.tif 000006
【図５】
2006242456.tif 000007
【図６】
2006242456.tif 000008
【図７】
2006242456.tif 000009
【図８】
2006242456.tif 000010